【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
高効率（ＨＥ）ステーション（ＳＴＡ）の装置であって、
当該装置が、メモリと、前記メモリに結合された処理回路とを備え、前記処理回路が、
アクセスポイントからのトリガフレーム（ＴＦ）を復号する処理であって、前記ＴＦが、前記ＨＥ  ＳＴＡが帯域幅クエリレポート（ＢＱＲ）を前記アクセスポイントに送信するためのアップリンク（ＵＬ）リソース割り当てを含み、前記ＴＦが、前記ＴＦは帯域幅クエリレポートポーリング（ＢＱＲＰ）タイプであるという表示を含む、処理と、
前記ＴＦに応答して、複数の２０ＭＨｚサブチャネルのうちの各２０ＭＨｚサブチャネルがビジーであるか否かを判定し、対応する２０ＭＨｚサブチャネルがビジーである場合に前記ＢＱＲの対応するビットを１にセットし、そうでなければ前記対応するビットをゼロに設定する処理と、
前記ＵＬリソース割り当てに従って前記ＢＱＲを前記アクセスポイントに送信するように前記ＨＥ  ＳＴＡを設定するシグナリングを生成する処理とを実行するように構成される、装置。
【請求項２】
前記複数の２０ＭＨｚサブチャネルのうちの各２０ＭＨｚサブチャネルがビジーであるか否かを判定する処理が、
前記対応する２０ＭＨｚサブチャネルのクリアチャネル評価（ＣＣＡ）がしきい値レベルを超える値を示す場合、前記対応する２０ＭＨｚサブチャネルがビジーであると判定する処理を更に含む、請求項１に記載の装置。
【請求項３】
前記ＵＬリソース割り当てが、サブチャネル割り当てを含み、前記サブチャネル割り当てが２０ＭＨｚ未満である、請求項１に記載の装置。
【請求項４】
前記ＵＬリソース割り当てに従って前記ＢＱＲを前記アクセスポイントに送信するように前記ＨＥ  ＳＴＡを設定するシグナリングを生成する処理が、
物理層コンバージェンスプロシージャプロトコルデータユニット（ＰＰＤＵ）の２０ＭＨｚの帯域幅を有する第１の部分と、前記ＰＰＤＵの前記サブチャネル割り当てに従った帯域幅を有する第２の部分とを前記アクセスポイントに送信するように前記ＨＥ  ＳＴＡを設定するシグナリングを生成する処理であって、前記ＰＰＤＵの前記第２の部分が前記ＢＱＲを含む、処理を更に含む、請求項３に記載の装置。
【請求項５】
前記処理回路が、
前記トリガフレームを前記復号する前に、前記アクセスポイントに対するフレームを符号化し、前記フレームが帯域幅フィールドを含み、前記ＢＱＲが前記帯域幅フィールドによって示される帯域幅のうちの各２０ＭＨｚサブチャネルに１ビットを含む、ように更に構成される、請求項１に記載の装置。
【請求項６】
前記帯域幅が８０ＭＨｚであり、前記複数の２０ＭＨｚサブチャネルは４つの２０ＭＨｚサブチャネルである、請求項５に記載の装置。
【請求項７】
前記ＵＬリソース割り当てが、複数のＨＥステーションがＢＱＲを前記アクセスポイントに送信するための複数のＵＬリソース割り当てのうちの１つである、請求項１から請求項６のいずれかに記載の装置。
【請求項８】
前記ＵＬリソース割り当てが、サブチャネル割り当て、及び前記ＨＥ  ＳＴＡの表示を更に含む、請求項１から請求項６のいずれかに記載の装置。
【請求項９】
前記ＵＬリソース割り当てに従って前記ＢＱＲを前記アクセスポイントに送信するように前記ＨＥ  ＳＴＡを設定するシグナリングを生成する処理が、
前記ＵＬリソース割り当てに従って、並びに直交周波数分割多元接続（ＯＦＤＭＡ）及びマルチユーザ多入力多出力（ＭＵ−ＭＩＭＯ）の一方又は両方に従って、前記ＢＱＲを前記アクセスポイントに送信するように前記ＨＥ  ＳＴＡを設定するシグナリングを生成する処理を更に含む、請求項１から請求項６のいずれかに記載の装置。
【請求項１０】
前記ＵＬリソース割り当てが、サブチャネル割り当てを含み、前記ＵＬリソース割り当てに従って前記ＢＱＲを前記アクセスポイントに送信するように前記ＨＥ  ＳＴＡを設定するシグナリングを生成する処理が、
物理層コンバージェンスプロシージャプロトコルデータユニット（ＰＰＤＵ）の２０ＭＨｚの帯域幅を有する第１の部分と、前記ＰＰＤＵの前記サブチャネル割り当てに従った帯域幅を有する第２の部分とを前記アクセスポイントに送信するように前記ＨＥ  ＳＴＡを設定するシグナリングを生成する処理であって、前記ＰＰＤＵの前記第２の部分が前記ＢＱＲを含み、前記サブチャネル割り当てが前記２０ＭＨｚの帯域幅内にある、処理を更に含む、請求項１から請求項６のいずれかに記載の装置。
【請求項１１】
前記複数の２０ＭＨｚサブチャネルのうちの各２０ＭＨｚサブチャネルがビジーであるか否かを判定する処理が、
前記対応する２０ＭＨｚサブチャネルのクリアチャネル評価（ＣＣＡ）がしきい値レベルを超える値を示すか、又は前記ＨＥ  ＳＴＡのネットワーク割り当てベクトルが、前記対応する２０ＭＨｚサブチャネルがビジーであることを示す場合、前記対応する２０ＭＨｚサブチャネルがビジーであると判定する処理を更に含む、請求項１から請求項６のいずれかに記載の装置。
【請求項１２】
前記ＨＥ  ＳＴＡ及び前記アクセスポイントが、それぞれ、米国電気電子学会（ＩＥＥＥ）８０２．１１ａｘアクセスポイント、ＩＥＥＥ  ８０２．１１ａｘステーション、ＩＥＥＥ  ８０２．１１ステーション、及びＩＥＥＥ  ８０２．１１アクセスポイントのグループからの１つである、請求項１から請求項６のいずれかに記載の装置。
【請求項１３】
前記処理回路に結合されたトランシーバ回路を更に備える、請求項１から請求項６のいずれかに記載の装置。
【請求項１４】
前記トランシーバ回路に結合された１つ又は複数のアンテナを更に備える、請求項１３に記載の装置。
【請求項１５】
高効率（ＨＥ）ステーション（ＳＴＡ）の装置の１つ又は複数のプロセッサによる実行のための命令を含むコンピュータプログラムであって、前記命令が、
アクセスポイントからのトリガフレーム（ＴＦ）を復号する処理であって、前記ＴＦが、前記ＨＥ  ＳＴＡが帯域幅クエリレポート（ＢＱＲ）を前記アクセスポイントに送信するためのアップリンク（ＵＬ）リソース割り当てを含み、前記ＴＦが、前記ＴＦは帯域幅クエリレポートポーリング（ＢＱＲＰ）タイプであるという表示を含む、処理と、
前記ＴＦに応答して、複数の２０ＭＨｚサブチャネルのうちの各２０ＭＨｚサブチャネルがビジーであるか否かを判定し、対応する２０ＭＨｚサブチャネルがビジーである場合に前記ＢＱＲの対応するビットを１にセットし、そうでなければ前記対応するビットをゼロに設定する処理と、
前記ＵＬリソース割り当てに従って前記ＢＱＲを前記アクセスポイントに送信するように前記ＨＥ  ＳＴＡを設定するシグナリングを生成する処理とを実行するように前記１つ又は複数のプロセッサを設定する、コンピュータプログラム。
【請求項１６】
前記複数の２０ＭＨｚサブチャネルのうちの各２０ＭＨｚサブチャネルがビジーであるか否かを判定する処理が、
前記対応する２０ＭＨｚサブチャネルのクリアチャネル評価（ＣＣＡ）がしきい値レベルを超える値を示す場合、前記対応する２０ＭＨｚサブチャネルがビジーであると判定する処理を更に含む、請求項１５に記載のコンピュータプログラム。
【請求項１７】
前記ＵＬリソース割り当てが、サブチャネル割り当てを含み、前記サブチャネル割り当てが２０ＭＨｚ未満であり、前記ＵＬリソース割り当てに従って前記ＢＱＲを前記アクセスポイントに送信するように前記ＨＥ  ＳＴＡを設定するシグナリングを生成する処理が、
物理層コンバージェンスプロシージャプロトコルデータユニット（ＰＰＤＵ）の２０ＭＨｚの帯域幅を有する第１の部分と、前記ＰＰＤＵの前記サブチャネル割り当てに従った帯域幅を有する第２の部分とを前記アクセスポイントに送信するように前記ＨＥ  ＳＴＡを設定するシグナリングを生成する処理であって、前記ＰＰＤＵの前記第２の部分が前記ＢＱＲを含む、処理を更に含む、請求項１５又は請求項１６に記載のコンピュータプログラム。
【請求項１８】
６ＧＨｚの高効率（ＨＥ）ステーション（ＳＴＡ）の装置によって実行される方法であって、当該方法が、
アクセスポイントからのトリガフレーム（ＴＦ）を復号するステップであって、前記ＴＦが、前記ＨＥ  ＳＴＡが帯域幅クエリレポート（ＢＱＲ）を前記アクセスポイントに送信するためのアップリンク（ＵＬ）リソース割り当てを含み、前記ＴＦが、前記ＴＦは帯域幅クエリレポートポーリング（ＢＱＲＰ）タイプであるという表示を含む、ステップと、
前記ＴＦに応答して、複数の２０ＭＨｚサブチャネルのうちの各２０ＭＨｚサブチャネルがビジーであるか否かを判定し、対応する２０ＭＨｚサブチャネルがビジーである場合に前記ＢＱＲの対応するビットを１にセットし、そうでなければ前記対応するビットをゼロに設定するステップと、
前記ＵＬリソース割り当てに従って前記ＢＱＲを前記アクセスポイントに送信するように前記ＨＥ  ＳＴＡを設定するシグナリングを生成するステップとを含む、方法。
【請求項１９】
前記複数の２０ＭＨｚサブチャネルのうちの各２０ＭＨｚサブチャネルがビジーであるか否かを判定するステップが、
前記対応する２０ＭＨｚサブチャネルのクリアチャネル評価（ＣＣＡ）がしきい値レベルを超える値を示す場合、前記対応する２０ＭＨｚサブチャネルがビジーであると判定するステップを更に含む、請求項１８に記載の方法。
【請求項２０】
高効率（ＨＥ）アクセスポイント（ＡＰ）の装置であって、当該装置が、メモリと、前記メモリに結合された処理回路とを備え、前記処理回路が、
トリガフレーム（ＴＦ）を符号化する処理であって、前記ＴＦが、複数のＨＥステーション（ＳＴＡ）が帯域幅クエリレポート（ＢＱＲ）を前記ＨＥ  ＡＰに送信するための複数のアップリンク（ＵＬ）リソース割り当てを含み、前記ＴＦが、前記ＴＦは帯域幅クエリレポートポーリング（ＢＱＲＰ）タイプであるという表示を含む、処理と、
前記ＴＦを前記複数のＨＥ  ＳＴＡに送信するように前記ＨＥ  ＡＰを設定するシグナリングを生成する処理と、
前記複数のＵＬリソース割り当てに従って前記複数のＨＥ  ＳＴＡからの複数のＢＱＲを復号する処理とを実行するように構成される、装置。
【請求項２１】
前記複数のＵＬリソース割り当てのそれぞれが、対応するサブチャネル割り当てを含む、請求項２０に記載の装置。
【請求項２２】
前記複数のＵＬリソース割り当てに従って前記複数のＨＥ  ＳＴＡからの複数のＢＱＲを復号する処理が、
前記複数のＵＬリソース割り当てに従って前記複数のＨＥ  ＳＴＡからの前記複数のＢＱＲを復号する処理であって、前記複数のＢＱＲのうちの各ＢＱＲが、物理層コンバージェンスプロシージャプロトコルデータユニット（ＰＰＤＵ）の２０ＭＨｚの帯域幅を有する第１の部分と、前記ＰＰＤＵの前記対応するサブチャネル割り当てに従った帯域幅を有する第２の部分とを含み、前記ＰＰＤＵの前記第２の部分が前記ＢＱＲを含む、処理を更に含む、請求項２１に記載の装置。
【請求項２３】
前記処理回路が、
前記トリガフレームを前記符号化する前に、前記複数のＨＥ  ＳＴＡの各々からのフレームを復号し、前記フレームが対応する帯域幅フィールドを含み、前記複数のＢＱＲが前記対応する帯域幅フィールドによって示される帯域幅のうちの各２０ＭＨｚサブチャネルに１ビットをそれぞれ含む、ように更に構成される、請求項２０から請求項２２のいずれかに記載の装置。
【請求項２４】
前記処理回路に結合されたトランシーバ回路を更に備える、請求項２０から請求項２２のいずれかに記載の装置。
【請求項２５】
前記トランシーバ回路に結合された１つ又は複数のアンテナを更に備える、請求項２４に記載の装置。
【請求項２６】
請求項１５から請求項１７のいずれかに記載のコンピュータプログラムを記憶したコンピュータ読み取り可能な記憶媒体。